(57)【特許請求の範囲】
【請求項１】
蓋体が容器体に対し蝶番により開閉自在に設けられたコンパクト容器を、該蓋体を開けた状態で固定するコンパクト容器搬送用パレットであって、基台上に、容器体保持板をその中央付近まで設け、前記容器体保持板の途中には対の容器体把持部材を、また、容器体保持板を設けていない前記基台上には対の蓋体把持部材および蓋押さえ部材を設け、前記対の容器体把持部材および対の蓋体把持部材は、それぞれ対の把持部材が自動調心機構により左右に同調して動くとともに弾性体により常に互いに引っ張られるように付勢されており、さらに、前記蓋押さえ部材は前記基台とのあいだに設けられたバネによって常に容器体方向に引っ張られており、容器体を前記容器体保持板に載置し、その蓋体を開放して該蓋体が容器体より下に来たときに、前記容器体保持板の中央側端部と前記蓋体の蝶番側端部を一致させ、前記蓋押さえ部材により蓋体の先端側を押すことにより蓋体の蝶番側を前記容器体保持板の中央側端部に密着させて蓋体押さえとすることを特徴とするコンパクト容器搬送用パレット。
【請求項２】
容器体把持部材および蓋体把持部材は、連動させて動かすことが可能なものである請求項第１項記載のコンパクト容器搬送用パレット。
【発明の詳細な説明】
【０００１】
【発明の属する技術分野】
本発明は、コンパクト容器搬送用パレットに関し、更に詳細には、種々の形状、寸法のコンパクト容器本体とそれぞれの蓋部分を開けた状態で簡便かつ正確に固定した状態で搬送することができ、化粧料皿や、刷毛等の小道具あるいは保護シート等を的確に装填することのできるコンパクト容器搬送用パレットに関する。
【０００２】
【従来の技術】
ファンデーションやメークアップ化粧料等を充填するコンパクト容器は、化粧料皿や刷毛等の小道具を納める容器体と、鏡等が取り付けられた蓋体とからなり、必要に応じて保護シートがその間に置かれている。
【０００３】
従来、このコンパクト容器中に化粧料皿等の物品を装填する作業は、人間により行われていたが、最近は省力化のため、機械を用いて自動的に取り付けるようになっている。
【０００４】
このように、物品を自動的に取り付けるためには、製造ラインを流れているコンパクト容器の位置が正確であることが要求されている。すなわち、人間の場合は、コンパクトの位置が若干ずれていたとしても、何の問題もなく物品を取り付けることができるが、機械では定めれた位置に所定の物品を設置するように設計されているため、例えば、コンパクトの位置が少しでも違っていると、物品を的確に取り付けられないという問題があった。特にこの問題は、コンパクト容器の容器体と蓋体の大きさが異なっている場合には、ぶれが生じやすいためより大きな問題となる。また、コンパクト容器の形状、寸法は通常製品ごとに異なるものであるため、製品ごとに機械の物品取り付け部寸法調整や部品交換が必要となり、特に多品種の製造においては作業が煩雑であった。
【０００５】
【発明が解決しようとする課題】
従って、種々の形状、寸法のコンパクト容器に対してもコンパクト容器本体と蓋体を簡便かつ正確に固定した状態で搬送することができ、自動化に適する搬送用パレットの開発が求められていた。
【０００６】
【課題を解決するための手段】
本発明者は、上記課題を解決すべく鋭意検討を行った結果、コンパクト容器の容器体部分と蓋体を、開けた状態で正確な位置にセットした後、それぞれ左右に同調して動く把持部材を用いて押さえることにより、種々の形状、寸法のコンパクト容器に対しても動きを完全に抑制することができ、機械による自動装填によっても煩雑な寸法調整や部品交換が不要で、装填作業において何の問題も生じないことを見出し、本発明を完成した。
【０００７】
すなわち本発明は、蓋体が容器体に対し蝶番により開閉自在に設けられたコンパクト容器を、該蓋体を開けた状態で固定するコンパクト容器搬送用パレットであって、基台上に、容器体保持板をその中央付近まで設け、前記容器体保持板の途中には対の容器体把持部材を、また、容器体保持板を設けていない前記基台上には対の蓋体把持部材および蓋押さえ部材を設け、前記対の容器体把持部材および対の蓋体把持部材は、それぞれ対の把持部材が自動調心機構により左右に同調して動くとともに弾性体により常に互いに引っ張られるように付勢されており、さらに、前記蓋押さえ部材は前記基台とのあいだに設けられたバネによって常に容器体方向に引っ張られており、容器体を前記容器体保持板に載置し、その蓋体を開放して該蓋体が容器体より下に来たときに、前記容器体保持板の中央側端部と前記蓋体の蝶番側端部を一致させ、前記蓋押さえ部材により蓋体の先端側を押すことにより蓋体の蝶番側を前記容器体保持板の中央側端部に密着させて蓋体押さえとすることを特徴とするコンパクト容器搬送用パレットである。
【０００８】
【発明の実施の形態】
以下、本発明の実施の態様を示す図面を挙げ、更に詳しく説明する。
【０００９】
図１は、本発明のコンパクト容器搬送用パレット（以下、「パレット」という）の一実施態様を示す平面図、図２は正面図、図３は右側面図である。図中、１はパレット、２は基台、３は容器体保持板、４は容器体保持板端部、５は容器体把持部材、６は容器体把持部材基部、７は容器体把持部材用ガイドレール、８は蓋体把持部材、９は蓋体把持部材基部、１０は蓋体把持部材用ガイドレールをそれぞれ示し、１１は蓋体押さえ部材。１２は蓋体押さえ部材基部、１３は蓋体押さえ部材用ガイドレール、１４はストッパをそれぞれ示す。また、１５は支持側板、１６は溝部、１７は上側ラック、１８は下側ラック、２０はピニオン軸受、２２は連通シャフト、２３は連通シャフト先端をそれぞれ示す。更にＡはコンパクト容器体、Ｂはコンパクト蓋体を示す。
【００１０】
図１から明らかなように、コンパクト容器は、容器体Ａを容器体保持板３の上に乗せ、蓋体の端を容器体保持板端部４とあわせ、容器体Ａは一対の容器体把持部材５ａおよび５ｂに、また蓋体Ｂは、一対の蓋体把持部材８ａおよび８ｂに挟まれるようにしてパレット１上にセットされる。このパレットは、基台２上に支持側板１５を介して容器体保持板３がほぼ中央付近まで取り付けられている。そして、容器体保持板３の途中に、溝部１６が設けられており、そこに容器体把持部材５ａ、５ｂが左右方向に同調して動くよう取り付けられている。また、コンパクトの蓋体については、蓋体把持部材８ａおよび８ｂが左右方向に同調して動くよう取り付けられている。このように、容器体把持部材５ａ、５ｂおよび蓋体把持部材８ａおよび８ｂが左右方向に同調して動くための機構として、図２に示されるような、二つのラック（１６および１７）、一つのピニオン（２０で隠れている）およびバネ２１を用いた機構が使用されている。
【００１１】
すなわち、容器体把持部材基部６ａおよび６ｂはバネ２１により結合されており、この力により常に閉じるように引っ張られる。一方、容器体把持部材基部６ａおよび６ｂは、容器体把持部材用ガイドレール７に乗せられており、この上で直線的にのみ移動可能である。更に、容器体把持部材基部６ａおよび６ｂには、それぞれ上側ラック１７および下側ラック１８が取り付けられており、これらは、ピニオン（図示せず）を介して連動するようになっている。
【００１２】
従って、容器体把持部材基部６ａおよび６ｂに取り付けられた容器体把持部材５ａおよび５ｂの間に容器体Ａを入れると、まず、バネ２１の力により、容器体把持部材５ａおよび５ｂは容器体Ａを挟み込むよう作用する。また、容器体把持部材５ａが一定の距離移動する場合は、容器体把持部材基部６ａに取り付けられた上部ラック１７もこれに従って動き、ピニオンを回転させ、更にこのピニオンは、下部ラック１８を回転させるので、容器体把持部材基部６ｂおよびこれに取り付けられた容器体把持部材５ｂも同じ距離移動することになる。すなわち、容器体把持部材５ａおよび５ｂは、２つのラックとピニオンの作用により左右に同調して動くことになるのである。
【００１３】
このように、容器体把持部材５ａおよび５ｂの間に容器体を入れると、これらが左右に同調して動き、かつ、バネによる挟み込みの力、すなわち把持力が働くため、容器体の中心を容器体把持部材５ａおよび５ｂのちょうど真ん中にセットすることが可能となるのである。
【００１４】
上記の機構は、蓋体把持部材８ａおよび８ｂについても全く同一であり、蓋体把持部材９ａおよび９ｂに取り付けられたバネ、上側ラック、下側ラックおよびピニオン（何れも図示せず）により、これらは把持力を持ちながら同調して動くのである。
【００１５】
また、必要な場合は、本発明のパレットに容器体把持部材および蓋体把持部材を連動させて動かすことができる機能を与えることができる。このような機能は、例えば、容器体把持部材基部６ａに取り付けられた連通シャフト２２と、蓋体把持部材基部９ａに設けられた、連通シャフト先端部２３を収納するシャフト受け穴２４により付与することが可能である。すなわち、最初に連通シャフト２２を蓋体方向に押し、先端部２３をシャフト受け穴２４に入れることにより、容器体把持部材基部６ａと蓋体把持部材基部９ａは同一な動きを行う。そして前記のように、容器体把持部材基部６ｂは６ａと、蓋体把持部材基部９ｂは９ａと同調して動くから、把持部材全体として連動して動くことになる。
【００１６】
この機能は、例えば容器体Ａと蓋体Ｂとの大きさが異なる場合に有効である。すなわち、コンパクト容器を開き、最初に大きい方にあわせて把持させ、次いで、連通シャフト２２をシャフト受け穴２４から外すことにより、小さな方も独自に把持させることにより容器体Ａと蓋体Ｂの両者を正しく把持し、コンパクト容器の中心線がパレットの中心線とずれることがなくなるのである。
【００１７】
以上、対の容器体把持部材および対の蓋体把持部材が左右に同調して動く機構を、図１から図３に示すバネ、二つのラックおよびピニオンを利用した構成により説明したが、本発明の上記機構は、この構成によってのみ達成されるものではない。例えば、バネ等の弾性体と、クランク機構で２つの把持部材基部を動かす構成によっても、対の蓋体把持部材が左右に同調して動く自動調心機構を作製することができる。
【００１８】
本発明においては、更に容器体保持板３の中央側端部４を、コンパクト容器の位置を決めるための基準位置として使用する。すなわち、最近のコンパクト容器では、コンパクト容器の蝶番部分を目立たせないようにするため、蓋体の開閉機構にアームを付けるのが一般的である。そして、この場合は、蓋体Ｂを開放した場合、蓋体Ｂが容器体Ａより下に来るようになる。この性質を利用し、容器体保持板の中央側端部４と蓋体の蝶番側端部を一致させて、蓋体押さえとするとともに、容器体Ａおよび蓋体Ｂの位置を決めることが可能となるのである。
【００１９】
なお、上記のようなコンパクト容器の位置決めをより正確にするためには、蓋体の先端側（蝶番と反対側）に押す力を与えるような、蓋体押さえ部材１１を設ける。この蓋押さえ部材１１は、蓋押さえ部材基部１２に、ある程度の運動可能に取り付けられており、この蓋押さえ部材基部１２は、基台２との間に取り付けられたバネ（図示せず）および蓋体押さえ用ガイドレール１３ａおよび１３ｂによって、常に手前方向（容器体方向）に直線的に引っ張られている。このように、蓋押さえ部材１１が蓋体Ｂの先端側を押し、蓋体の蝶番側を容器体保持板の中央側端部４に密着させるので、蓋体Ｂおよび容器体Ａの位置をより正確に決めることが可能となるのである。
【００２０】
【作用】
本発明のパレットが、コンパクト容器製造ラインの自動化に適する第一の理由は、まず、バネ等の弾性体による自己把持力を有する把持部材が左右に同調して動くため、種々の形状、寸法の容器体や蓋体の中心が常に同じ部分に来るという点である。
【００２１】
また、第二の理由としては、対の容器体把持部材および対の蓋体把持部材がそれぞれ独立して左右に同調して動く点である。すなわち、コンパクト容器には、蓋と容器体が同じものが多いが、機能やデザイン性の面から例えば蓋の方が小さかったり逆に大きかったりするものも存在する。また、多品種の製品の製造時には、各製品ごとに容器の形状、寸法が異なることが多い。このようなコンパクト容器に対しても、本発明のパレットでは、それぞれ容器体および蓋体を個別に把持するので、大きさの差や形状、寸法の違い等に起因するコンパクト容器の動きは生じない。
【００２２】
更に第３の理由としては、容器体保持板の中央側端部において、蓋体の蝶番側端部を固定し、コンパクト容器の軸方向の位置のずれをなくした点である。特に、蓋押さえ部材によりコンパクト容器の軸方向位置を正確に決めることが可能となる。
【００２３】
以上のような機構により、本発明のパレットに固定されたコンパクト容器の位置が正確に定まるため、化粧料皿や、刷毛等の小道具あるいは保護シート等をロボット等による自動装填で行っても不良品が生じないのである。
【００２４】
【発明の効果】
本発明のパレットを利用すれば、効率よく化粧料皿や、刷毛等の小道具あるいは保護シート等の自動装填が可能となる。
【００２５】
また、どのようなコンパクト容器であれ、容器体および蓋体の中心と、蓋体の蝶番側位置を常に同じ位置に保持することが可能となるので、異なるコンパクト容器、例えばその形態が丸や多角形、略多角形等であってもこれらを同じパレットで処理することが可能となり、生産の合理化につなげることができる。
【図面の簡単な説明】
【図１】  本発明のパレットの一実施態様の平面図である。
【図２】  本発明のパレットの一実施態様の正面図である。
【図３】  本発明のパレットの一実施態様の右側面図である。
【符号の説明】
１ … … パレット                Ａ … … コンパクト容器体
２ … … 基台                    Ｂ … … コンパクト蓋体
３ … … 容器体保持板
４ … … 容器体保持板端部（中央側）
５ … … 容器体把持部材
６ … … 容器体把持部材基部
７ … … 容器体把持部材用ガイドレール
８ … … 蓋体把持部材
９ … … 蓋体把持部材基部
１０ … … 蓋体把持部材用ガイドレール
１１ … … 蓋体押さえ部材
１２ … … 蓋体押さえ部材基部
１３ … … 蓋体押さえ部材用ガイドレール
１４ … … ストッパ
１５ … … 支持側板
１６ … … 溝部
１７ … … 上側ラック
１８ … … 下側ラック
２０ … … ピニオン軸受
２１ … … バネ
２２ … … 連通シャフト
２３ … … 連通シャフト先端
２４ … … シャフト受け穴
以    上
【図１】
0004704626.tif 000002
【図２】
0004704626.tif 000003
【図３】
0004704626.tif 000004